(57)【要約】【課題】ハウジングの内部に搭載されている基板および主基板の品質を長期にわたり維持するのに貢献できる局部洗浄装置を提供する。【解決手段】局部洗浄装置は、ハウジング１と、洗浄ノズル３と、温水タンク２と、ハウジング１の内部に搭載された主基板５と、ハウジング１の内部において主基板５よりも洗浄ノズル３に遠い位置に搭載された副基板６と、ハウジング１内に設けられ主基板５と副基板６とを電気的に繋ぐハーネス電線８とを有する。副基板６および主基板５のうちの少なくとも一方は、ハーネス姿勢規制要素７を備えている。ハーネス姿勢規制要素７は、ハーネス電線８の長さ方向の中間部分８０を主基板５および副基板６の高さ位置よりも下方に垂下させるようにハーネス電線８の姿勢を規制する。【選択図】図２
2010106531.tif 000002
【特許請求の範囲】
【請求項１】
洋式の便器に装備され前記便器に着座する使用者の局部を洗浄水で洗浄する局部洗浄装置であって、前記便器に据え付けられるハウジングと、前記ハウジングに設けられた洗浄ノズルと、前記ハウジングに設けられ前記洗浄ノズルに供給する温水を貯める温水タンクと、前記ハウジングの内部に搭載され局部洗浄の制御を行う主基板と、前記ハウジングの内部において前記主基板よりも前記洗浄ノズルから遠い位置に搭載され局部洗浄の制御を前記種基板と共に行う副基板と、前記ハウジング内に設けられ前記主基板と前記副基板とを電気的に繋ぐハーネス電線とを具備しており、
前記副基板および前記主基板のうちの少なくとも一方は、
前記一方の厚み方向に貫通し前記ハーネス電線を前記一方の厚み方向に挿通させるハーネス挿通開口をもち、前記ハーネス電線の長さ方向の中間部分を前記主基板および前記副基板の高さ位置よりも下方に垂下させるように前記ハーネス電線の姿勢を規制するハーネス姿勢規制要素を備えていることを特徴とする局部洗浄装置。
【請求項２】
請求項１において、前記ハウジングは、前記便器に着座する使用者の腰部の後方に配置され前記洗浄ノズルを搭載する主ハウジングと、前記便器に着座する使用者の腰部の側方に配置され前記主ハウジングに連通するように前記主ハウジングに連設された袖ハウジングとを有しており、
前記主基板は前記主ハウジングの内部に搭載されており、前記副基板は、前記袖ハウジングの内部に搭載されていることを特徴とする局部洗浄装置。
【請求項３】
請求項１または２において、前記ハウジング内には、下向きに突出すると共に前記ハーネス電線の長さ方向の中間部分を前記主基板および前記副基板の高さ位置よりも下方に垂下させるように前記ハーネス電線の姿勢を規制する下向き突部が、前記主基板と前記副基板との間において設けられており、且つ、
前記下向き突部は、前記ハウジングの上壁部から下方に向けて突設されており、前記下向き突部の下端面は前記主基板および前記副基板の高さ位置よりも下方に突出していることを特徴とする局部洗浄装置。
【請求項４】
請求項１〜３のうちのいずれか一項において、前記副基板および前記主基板の内の一方に形成されている前記ハーネス姿勢規制要素は、前記ハーネス電線を前記一方の厚み方向に沿って挿通させるハーネス挿通開口と、前記ハーネス挿通開口の一部を形成するように前記一方に連設された拘束アーム部とを備えていることを局部洗浄装置。
【請求項５】
請求項１〜４のうちのいずれか一項において、前記ハーネス挿通開口に挿通されている前記ハーネス電線の中間部分の垂下部分から滴下した水を受けて前記便器の前記上面開口に案内させる案内部が、前記ハウジングに設けられていることを特徴とする局部洗浄装置。
【請求項６】
請求項１〜５のうちのいずれか一項において、前記ハウジング内において前記副基板の高さ位置は前記主基板の高さ位置よりも低くされており、前記ハーネス姿勢規制要素は前記副基板に設けられていることを特徴とする局部洗浄装置。
【発明の詳細な説明】
【技術分野】
【０００１】
本発明はハーネス電線を有する局部洗浄装置に関する。
【背景技術】
【０００２】
洋式の便器に装備される局部洗浄装置が提供されている。このものによれば、洋式の便器に着座する使用者の局部を洗浄水で洗浄する。従って、局部洗浄装置の主ハウジング内には、温水を洗浄水として使用者の局部に向けて噴出する洗浄ノズル、洗浄ノズルに供給する温水を貯める温水タンクとが設けられている。更に、ハウジングには、局部洗浄の制御を行うための主基板および副基板が異なる部位に搭載されている。主基板と副基板とはハーネス電線により電気的に接続されている。
【０００３】
ここで、ハウジングは、便器に着座する使用者の腰部の後方に配置される主ハウジングと、便器に着座する使用者の腰部の側方に配置された袖ハウジングとを有する。主基板は、ハウジングのうちの主ハウジング内に搭載されている。副基板は、ハウジングのうちの袖ハウジング内に搭載されている。
【０００４】
ところで、ハウジングの内部においては、前述したように、温水を貯める温水タンクおよび温水を洗浄水として噴出させる洗浄ノズルが搭載されている。このためハウジングの内部は湿気を帯び易い。このためハウジングの内部においては、条件によっては、結露が発生することがある。結露がハウジングの内壁面で発生している限り、主基板および副基板には特段の影響を与えない。
【０００５】
しかしながら、結露で発生した水がハーネス電線に付着し、ハーネス電線の長さ方向に沿って重力により流下するおそれがある。この場合、結露水等の水がハーネス電線の長さ方向に沿って流下し、ハーネス電線に繋がる副基板や主基板に到着するおそれがある。この場合、副基板や主基板は、流下した水の影響を受ける。よって、副基板や主基板の品質を長期にわたり良好に維持するには好ましくない。
【０００６】
更に、近年、図９に示すように、主基板３００を収容する空間３０１と副基板３０２を収容する空間３０３との連通性を、遮断用の上リブ３０５および下リブ３０６で制限した局部洗浄装置が開発されている（特許文献１）。このものによれば、主ハウジングの空間３０１で発生した湿気が、袖ハウジングの空間３０３に進入することを上リブ３０５および下リブ３０６で抑えている。更に、上リブ３０５と下リブ３０６との間にハーネス電線４００を挿通し、主基板３００と副基板３０２とを電気的に接続している。
【特許文献１】特開２００７−７７７２１号公報
【発明の開示】
【発明が解決しようとする課題】
【０００７】
しかしながら、上記した特許文献１に係る技術といえども、ハーネス電線４００の長さ方向に沿って基板まで流下する結露水等の水の進入まで抑えることができない。殊に、図９に示すように、副基板３０２が主基板３００よりも下側に配置されている場合には、ハーネス電線４００が副基板３０２に向けて下降傾斜するため、ハーネス電線４００に付着した結露水等の水がハーネス電線４００に沿って重力により流下し、副基板３０２に到達するおそれがある。この場合、副基板３０２は、これに流下した水の影響を受け、副基板３０２の長寿命化には限界がある。
【０００８】
また逆に、図示はしないものの、主基板が副基板よりも下側に配置されている場合には、ハーネス電線が主基板に向けて下降傾斜するため、ハーネス電線に付着した結露水等の水がハーネス電線に沿って重力により流下して主基板に到達するおそれがある。この場合、主基板は、これに流下した水の影響を受け、主基板３００の長寿命化には限界がある。
【０００９】
本発明は上記した実情に鑑みてなされたものであり、ハウジングの内部に搭載されている副基板や主基板の品質を長期にわたり維持するのに貢献できる局部洗浄装置を提供することを課題とする。
【課題を解決するための手段】
【００１０】
本発明に係る局部洗浄装置は、洋式の便器に装備され便器に着座する使用者の局部を洗浄水で洗浄する局部洗浄装置であって、便器に据え付けられるハウジングと、ハウジングに設けられた洗浄ノズルと、ハウジングに設けられ洗浄ノズルに供給する温水を貯める温水タンクと、ハウジングの内部に搭載され局部洗浄の制御を行う主基板と、ハウジングの内部において主基板よりも洗浄ノズルに遠い位置に搭載され局部洗浄の制御を主基板と共に行う副基板と、ハウジング内に設けられ主基板と副基板とを電気的に繋ぐハーネス電線とを具備しており、
副基板および主基板のうちの少なくとも一方は、前記一方の厚み方向に貫通しハーネス電線を前記一方の厚み方向に挿通させるハーネス挿通開口をもち、ハーネス電線の長さ方向の中間部分を主基板および副基板の高さ位置よりも下方に垂下させるようにハーネス電線の姿勢を規制するハーネス姿勢規制要素を備えていることを特徴とする。
【００１１】
ハウジングは、洋式の便器に着座する使用者の腰部の後方に配置される。洗浄ノズルはハウジングに設けられており、便座に着座する使用者の局部に向けて温水を洗浄水として噴出させる。温水タンクはハウジングに設けられており、洗浄ノズルに供給する温水を貯める。主基板は、ハウジングの内部に搭載されており、局部洗浄の制御を行うものであり、電子部品および／または電気部品を取り付けている。副基板は、ハウジングの内部に搭載されており、局部洗浄の制御を主基板と共に行うものであり、電子部品および／または電気部品を取り付けており、主基板よりも洗浄ノズルに遠い位置に搭載されている。ハーネス電線はハウジング内に設けられており、主基板と副基板とを電気的に繋ぐ線であれば、何でも良い。
【００１２】
本発明によれば、副基板は、ハウジングの内部のうち主基板よりも洗浄ノズルに遠い位置に搭載されており、ハーネス電線の姿勢を規制するハーネス姿勢規制要素を備えている。すなわち、ハーネス姿勢規制要素は、副基板および主基板のうちの少なくとも一方の厚み方向に貫通していると共にハーネス電線を挿通させるハーネス挿通開口をもつ。この結果、ハーネス姿勢規制要素は、ハーネス電線の長さ方向の中間部分を、主基板の上面および下面の高さ位置よりも重力方向の下方となるように垂下させ、同様に、副基板の上面および下面の高さ位置よりも重力方向の下方となるように垂下させる。
【００１３】
このため結露水等の水がハーネス電線に付着し、ハーネス電線の長さ方向に沿って重力により流下するときであっても、結露水等の水が主基板および副基板に到達することが抑制される。この結果、ハウジングの内部に搭載されている副基板や主基板の電子部品の品質を長期にわたり維持するのに貢献することができる。
【００１４】
本発明によれば、次の好適形態が挙げられる。好ましくは、ハウジングは、便器に着座する使用者の腰部の後方に配置され洗浄ノズルおよび温水タンクを搭載する主ハウジングと、便器に着座する使用者の腰部の側方に配置され主ハウジングに連設された袖ハウジングとを有する。更に、主基板は主ハウジングの内部に搭載されており、副基板は主基板よりも洗浄ノズルに対して遠い位置となるように、袖ハウジングの内部に搭載されている（請求項２）。ここで、主ハウジングの内部は、温水を洗浄水として噴出させるため洗浄ノズルを搭載しているため、湿気を帯び易い。副基板は主ハウジングに隣設する袖ハウジングの内部に搭載されているため、主基板よりも洗浄ノズルに対して遠い位置となる。従って請求項２の場合には、副基板は、本来的には結露の問題を発生させにくい。
【００１５】
しかしながら仮に、ハーネス電線に付着した結露水等の水がハーネス電線を長さ方向に沿って流下するとき、結露水等の水が副基板に到着するおそれがある。そこで請求項２によれば、前述したように、ハーネス姿勢規制要素は、ハーネス電線の長さ方向の中間部分を主基板および副基板の双方の高さ位置よりも下方となるように垂下させる。このため結露水等の水がハーネス電線の長さ方向に沿って流下するときであっても、結露水等の水が副基板に到達することが抑制され、同様に、主基板に到達することが抑制される。故に、袖ハウジングの内部に搭載されている副基板の電子部品の品質を長期にわたり維持するのに貢献することができる。同様に、主ハウジングの内部に搭載されている主基板の電子部品の品質を長期にわたり維持するのに貢献することができる。
【００１６】
好ましくは、ハウジング内には、下向きに突出すると共にハーネス電線の長さ方向の中間部分を主基板および副基板の高さ位置よりも下方に垂下させるようにハーネス電線の姿勢を規制する下向き突部が、主基板と副基板との間において設けられている。更に好ましくは、下向き突部は、ハウジングの上壁部から下方に向けて突設されており、下向き突部の下端面は、主基板および副基板の高さ位置よりも下方に突出している（請求項３）。局部洗浄装置の組付時またはメンテナンス時においてハーネス電線の組付形態や位置形態が変化するときであっても、下向きに突出する下向き突部により、ハーネス電線の長さ方向の中間部分分を、主基板および副基板の高さ位置よりも重力方向の下方に垂下させることができる。下向き突部の形状は特に限定されず、リブ状、棒状、ピン状が例示される。
【００１７】
好ましくは、副基板および主基板のうちの少なくとも一方に形成されているハーネス姿勢規制要素は、ハーネス電線を一方の厚み方向に沿って挿通させるハーネス挿通開口と、ハーネス挿通開口の一部を形成するように前記一部に連設された拘束アーム部とを備えている（請求項４）。ハーネス挿通開口に挿通されているハーネス電線の姿勢が拘束アーム部により拘束され、ハーネス電線が他の位置にずれることが抑制される。従って、ハーネス電線の長さ方向の中間部分分を、主基板および副基板の高さ位置よりも下方に垂下させるのに有利である。
【００１８】
好ましくは、ハーネス挿通開口に挿通されているハーネス電線の垂下部分から滴下した水を受けて便器の上面開口に案内させる案内部が、ハウジングに設けられている（請求項５）。ハーネス電線の垂下部分から結露水等の水が脱落したときであっても、その結露水等の水を受けて便器の上面開口に案内させることができる。なお、主基板の高さ位置は副基板の高さ位置よりも高くすることができる。あるいは、主基板の高さ位置は副基板の高さ位置と同じとすることができる。なお、ハウジング内において、副基板の高さ位置は、主基板の高さ位置よりも低くされていることができる（請求項６）。この場合、ハーネス電線に沿って流下する水は本来的には副基板に向かい易くなるものの、水が副基板に向かうことはハーネス姿勢規制要素により抑えられる。
【発明の効果】
【００１９】
本発明によれば、副基板および主基板のうちの少なくとも一方は、主基板と副基板とを電気的に繋ぐハーネス電線が設けられており、少なくとも当該一方に形成されているハーネス姿勢規制要素は、ハーネス電線の長さ方向の中間部分を主基板および副基板の高さ位置よりも下方に垂下させるようにハーネス電線の姿勢を規制する。このため、ハウジングの内部に搭載されている副基板および主基板の品質を長期にわたり維持するのに貢献できる。
【００２０】
このため結露水等の水がハーネス電線の長さ方向に沿ってハーネス電線の最下部に向けて流下するときであっても、結露水等の水が副基板および主基板に到達することが抑制される。故に、ハウジングの内部に搭載されている副基板および主基板における電子部品および／または電気部品の品質を長期にわたり維持するのに貢献することができる。
【発明を実施するための最良の形態】
【００２１】
（実施形態１）
本発明の実施形態１について図１〜図４を参照しつつ説明する。図１に示すように、本実施形態に係る局部洗浄装置は、上面開口１０２をもつ洋式の便器１００に着座する使用者の局部を洗浄水で洗浄するものであり、便器１００の後部に装備される。局部洗浄装置は、樹脂で形成されているハウジング１と、ハウジング１内に設けられた温水タンク２と、ハウジング１に矢印Ｙ１方向に前進可能および矢印Ｙ２方向に後退可能に設けられた洗浄ノズル３とを備えている。
【００２２】
図１に示すように、ハウジング１は、便器１００に対して上下揺動可能な便座４０および便蓋４２をもつ。ハウジング１は、便器１００に着座する使用者の腰部の後方に配置され洗浄ノズル３を搭載する主ハウジング１１と、便器１００に着座する使用者の腰部の側方に配置され主ハウジング１１に連設された副ハウジングとして機能する袖ハウジング１２とを有する。主基板５は電子部品および／または電気部品を搭載しており、局部洗浄の制御を行うものであり、ハウジング１を構成する主ハウジング１１の内部に搭載されている。
【００２３】
図２に示すように、袖ハウジング１２の上面１２ｕには、便座４０に着座する使用者により操作される化粧パネル１４が露出状態に設けられている。化粧パネル１４の上面１４ｕには、便座４０に着座する使用者が操作する洗浄処理の操作内容を表示する第１操作スイッチ面１５、第２操作スイッチ面１６、第３操作スイッチ面１７、各スイッチ面の操作を表示する複数の点灯表示面１８が設けられている。
【００２４】
副基板６は電子部品および／または電気部品を搭載しており、局部洗浄の制御を行うものであり、ハウジング１を構成する袖ハウジング１２の内部においてほぼ水平方向に沿って搭載されている。副基板６は、複数のセンサ６１，６２と、複数の切替用のスイッチ６５〜６７と、点灯表示灯として機能する複数のＬＥＤ６８とを備えている。ＬＥＤ６８は、化粧パネル１４の点灯表示面１８を照らすように、袖ハウジング１２の内部において、化粧パネル１４の点灯表示面１８の下方に配置されている。
【００２５】
スイッチ６５は第１操作スイッチ面１５の押圧操作で切り替えられるように、化粧パネル１４の第１操作スイッチ面１５の下方に配置されている。スイッチ６６は第２操作スイッチ面１６の押圧操作で切り替えられるように、化粧パネル１４の第２操作スイッチ面１６の下方に配置されている。スイッチ６７は第３操作スイッチ面１７の押圧操作で切り替えられるように、化粧パネル１４の第３操作スイッチ面１７の下方に配置されている。
【００２６】
上記したように化粧パネル１４の下側に副基板６が配置されている関係上、ＬＥＤ６８、複数の切替用のスイッチ６５，６６，６７、コネクタ６０等は、副基板６の下面６ｄ側ではなく上面６ｕ側に配置されている。なお、コネクタ６０は副基板６の上面６ｕのうち長手方向（矢印Ｌ１方向）のうちの主ハウジング１１側の端部の上面部分に配置されている。
【００２７】
主基板５は、局部洗浄処理に関する主な制御を実行するものであり、各種センサ、ＣＰＵ、コネクタ５０等を搭載している。
【００２８】
図２に示すように、主基板５のコネクタ５０（部品）と副基板６のコネクタ６０（部品）とは、複数のハーネス電線８（単数でも良いし、束ねられていても良い）で電気的に接続されている。ハーネス電線８は導線を被覆層で被覆して形成されている。なお、図２に示すように、ハウジング１内において、主基板５は副基板６よりも高い位置に設定されている。ここで、ハウジング１内において主基板５は副基板６よりも洗浄ノズル３に近い位置に配置されており、且つ、使用電圧も高いため、主基板５は高い防水構造を採用しており、副基板６よりも高い防水性を発揮している。副基板６はハウジング１内において主基板５よりも洗浄ノズル３から遠い位置に配置されており、且つ、使用電圧も主基板５に比較してかなり低いため、コストなどを考慮し、副基板６は防水構造を採用していないか、主基板５よりも軽い防水構造を採用している。
【００２９】
本実施形態によれば、図２に示すように、ハウジング１の内部に搭載されている副基板６は、主基板５よりも洗浄ノズル３から距離的に遠い位置に搭載されており、本来的には水を原因とする不具合を発生させないか、発生させにくいものである。本実施形態によれば、図２に示すように、副基板６は、ハーネス電線８の姿勢を規制するためのハーネス姿勢規制要素７を備えている。ハーネス姿勢規制要素７は、ハーネス電線８を副基板６の厚み方向に沿って挿通させると共に、ハーネス電線８の長さ方向の中間部分８０を主基板５の高さ位置および副基板６の高さ位置よりも下方に垂下させるように、ハーネス電線８の姿勢を規制する。
【００３０】
すなわち、図２に示すように、副基板６に形成されているハーネス姿勢規制要素７は、ハーネス電線８を副基板６の厚み方向（上下方向）に沿って挿通させるハーネス挿通開口７０と、ハーネス挿通開口７０の一部を形成するように２個（複数）の拘束アーム部７１とを備えている。互いに対向する２個の拘束アーム部７１の先端部７１ｃ同士の間には、ハーネス挿通開口７０に連通する案内開口７４が形成されている。ハーネス電線７を案内開口７４からハーネス挿通開口７０内に挿入することができる。拘束アーム部７１は、副基板６の長手方向（矢印Ｌ１方向）の両端部のうち、主ハウジング１１に近い側の端部に形成されており、副基板６の構成材料と同じ材料で一体的に形成されている。
【００３１】
拘束アーム部７１によりハーネス電線８が副基板８にできるだけ寄るように拘束されており、ハーネス電線８がハーネス挿通開口７０の外方に脱落できないように拘束されている。このためハーネス電線８の飛散および変位が抑制され、ハーネス電線８が他の位置にずれることが抑制されている。万一、何らかの事情により、ハーネス電線８が主基板５側に矢印Ｅ１方向（図２参照）に引っ張られたときであっても、拘束アーム部７１のうち副基板６に繋がる根元部７１ｅが抵抗体となる。故にハーネス電線８がハーネス挿通開口７０から脱落することが抑制される。このようなハーネス姿勢規制により、ハーネス電線８の長さ方向の中間部分８０を、主基板５の高さ位置および副基板６の高さ位置よりも下方となるように垂下させることができる。
【００３２】
図２に示すように、２個の拘束アーム部７１は案内開口７４を形成しつつ互いに対向するように形成されており、且つ、ハーネス挿通開口７０は副基板６の幅方向（矢印ＤＡ方向）における一端６ｈから他端６ｉに向けて長溝状に延設されている。このため、ハーネス電線８の本数が増加するときであっても充分に対処できる。この場合、ハーネス電線８の本数の変動を誘発させる他の複数種類の局部洗浄装置に適用させるのにも有利となる。
【００３３】
更に本実施形態によれば、上記した副基板６の長寿命化を図り得るという優れた作用効果を発現させることができるにも拘わらず、従来の副基板の長手方向の端部に、ハーネス挿通開口７０を形成する拘束アーム部７１を形成するという簡単な構造で足りるため、コストの増加を抑えるのに有利である。ここで、主ハウジング１１の内部は、温水を洗浄水として噴出させるため洗浄ノズル３を搭載しているため、湿気を帯び易い。これに対して、副基板６は袖ハウジング１２の内部に搭載されているため、主基板５よりも洗浄ノズル３に対して遠い位置となる。従って副基板６は本来的には結露の問題を発生させにくい。しかしながらハウジング１内で生成された結露水等の水がハーネス電線８を長さ方向に沿って流下するとき、結露水等の水が、結露水等の水が生成されにくい副基板６に到着するおそれがある。すなわち、図２から理解できるように、ハーネス電線８に付着した結露水等の水がハーネス電線８の長さ方向に沿って重力により流下するようなとき、結露水等の水は、主基板５よりも低い位置に存在する副基板６に向けて、ハーネス電線８の長さ方向に沿って流下するものである。
【００３４】
そこで本実施形態によれば、ハーネス姿勢規制要素７は、ハーネス電線８の長さ方向の中間部分８０を主基板５の高さ位置および副基板６の高さ位置よりも、下方に垂下させるようにハーネス電線８の姿勢を規制している。換言すると、ハーネス電線８の長さ方向の中間部分８０は、ハーネス電線８のうち主基板５側の端部８ａの高さ位置、副基板６側の端部８ｃの高さ位置よりも低めに設定されている。このためハーネス電線８に付着した結露水等の水が、ハーネス電線８の長さ方向に沿って流下したとしても、中間部分８０の最下部８０ｄまでは重力により流下できるものの、それ以上は流れない。中間部分８０の最下部８０ｄの高さ位置はハーネス電線８の長さ方向において最も下部に位置しており、ハーネス電線８の長さ方向の端部８ａ，８ｃは、中間部分８０の最下部８０ｄの高さ位置よりも高めとされているためである。この結果、結露水等の水がハーネス電線８に付着したとしても、水はハーネス電線８の長さ方向に沿って重力により流下するものの、ハーネス電線８の長さ方向の端部８ａ，８ｃの側に移動することは抑制される。ハーネス電線８については、最下部８０ｄから長さ方向の端部８ａ，８ｃに向かうにつれて、上昇傾斜しているためである。なお最下部８０ｄはハウジング１の底面には非接触である。
【００３５】
このため、袖ハウジング１２の内部に搭載されている副基板６の電子部品の品質を長期にわたり維持するのに貢献することができ、副基板６の耐久性の向上および長寿命化を図り得る。上記したような本実施形態によれば、洗浄ノズル３に対して主基板５よりも距離的に遠くなるように、ハウジング１の内部に搭載されている副基板６の水に対する耐久性を高めることができ、副基板６の品質を長期にわたり良好に維持するのに貢献することができる。水がハーネス電線８の長さ方向に沿って流下するとき、水は広がるので、水の乾燥が促進される。
【００３６】
上記したように化粧パネル１４の下側に副基板６が配置されている関係上、ＬＥＤ６８、複数の切替用のスイッチ６５，６６，６７、コネクタ６０等は、副基板６の上面６ｕ側に配置されている。そこで本実施形態によれば、図２に示すように、ハーネス電線８の長さ方向の中間部分８０は下方に垂下されつつも、ハーネス電線８のうち副基板６側の端部８ｃは、ハーネス挿通開口７０に挿入されつつハーネス挿通開口７０の上方に突き出しており、副基板６の上面６ｕに保持されているコネクタ６０に電気的に接続されている。
【００３７】
図３に示すように、ハウジング１の上壁部１ｕには、下向き突部としての下向きリブ９が鉛直方向の下向きに突出するように一体的に設けられている。下向きリブ９は樹脂で形成されており、薄い板形状をなしており、主基板５と副基板６との間において位置している。下向きリブ９は副基板６とほぼ平行に沿って並設されている。下向きリブ９の下端面９０は、副基板６とほぼ平行に沿って矢印Ｌ１方向に延設されている平坦面状をなしており、主基板５および副基板６の高さ位置よりも下方に突出している。ここで、下端面９０は平坦面状であり、且つ、ほぼ同じ高さで矢印Ｌ１方向に沿って延設されている。このため下端面９０はハーネス電線８の姿勢の変化に対応し易い利点が得られる。更にハーネス電線８の本数が変動するときであっても、対応し易い利点が得られる。
【００３８】
なお、下向きリブ９は主ハウジング１１側であっても良いし、袖ハウジング１２側であっても良い。下向きリブ９は、ハーネス電線８の長さ方向の中間部分８０を主基板５の上面および下面の高さ位置、および、副基板６の上面および下面の高さ位置よりも、常に確実に重力方向の下方に垂下させるようにハーネス電線８の姿勢を規制することができる。すなわち、局部洗浄装置の組付時またはメンテナンス時において、ハーネス電線８の組付長さや組付形態や位置形態が変化するときであっても、下向きに突出する下向きリブ９により、ハーネス電線８の長さ方向の中間部分８０を、常時、主基板５の上面および下面の高さ位置、並びに、副基板６の上面および下面の高さ位置よりも下方に確実に垂下させることができる。
【００３９】
ハーネス電線８の組付長さや組付形態や位置形態が通常であれば、図３に示すように、下向きリブ９の下端面９０は、ハーネス電線８の長さ方向の中間部分８０に対して非接触であり、ハーネス電線８に余分な負荷を与えることが抑えられている。この場合、ハーネス電線８が接合される半田付け部等の結合部の強度が確保される。なお、組付長さや組付形態や位置形態が通常でないとき、下向きリブ９の下端面９０がハーネス電線８の長さ方向の中間部分８０に接触し、中間部分８０を重力方向の下方に位置させることができる。
【００４０】
更に本実施形態によれば、図２に示すように、下向きリブ９の長さＬＡは、副ハウジングとしてのハウジング１２の長さ方向（矢印Ｌ１方向）に沿って延設されているものの、下向きリブ９の厚みｔは薄い。このため、便座４０に着座する使用者の左右の腕を結ぶ方向（図１に示す矢印ＤＡ方向）におけるハウジング１のサイズのコンパクト化を図ることができる。更に本実施形態によれば、下向きリブ９の長さＬＡ（図２参照）を調整すれば、下向きリブ９は、主ハウジング１１の内部と袖ハウジング１２の内部との連通に対して邪魔板的に機能を果たすことができる。このため、主ハウジング１１の内部の湿気が袖ハウジング１２の内部に進入することを抑えるのにも貢献できる。なお下向きリブ９の長さＬＡ（図２参照）が小さいときには、そのような作用効果が抑えられる。
【００４１】
（実施形態２）
図５は実施形態２を示す。本実施形態は実施形態１と基本的には同様の構成および同様の作用効果を奏する。下向きリブ９は主基板５と副基板６との間に位置している。すなわち、下向きリブ９の下端面９０は、主基板５の上面および下面の高さ位置、並びに、副基板６の上面および下面の高さ位置よりも下方に向けて突出している。但し、下向きリブ９の下端面９０は、ハーネス電線８の長さ方向の中間部分８０に接触しつつ、ハーネス電線８の中間部分８０の最下部８０ｄを主基板５の上面および下面の高さ位置の高さ位置、および、副基板６の上面および下面の高さ位置よりも重力方向の下方に配置させている。従って、局部洗浄装置の組付時またはメンテナンス時において、ハーネス電線８の組付形態や位置形態が変化するときであっても、下向きに突出する下向きリブ９により、ハーネス電線８の長さ方向の中間部分８０を、常時、主基板５および副基板６の双方の高さ位置よりも下方に確実に垂下させることができる。
【００４２】
（実施形態３）
図６は実施形態３を示す。本実施形態は実施形態１と基本的には同様の構成および同様の作用効果を奏する。下向きリブ９の下端面９０は、主基板５および副基板６の高さ位置よりも下方に突出している。ハーネス電線８の長さ方向の中間部分８０の垂下部分から、結露水等の水が重力により滴下することがある。ハウジング１を構成するベースプレート１８に形成されている案内部１９は、滴下した結露水等の水を受けて便器１００の上面開口１０２に案内させるように、便器１００の上面開口１０２に向けて下降傾斜している。このため、仮に、ハーネス電線８の長さ方向の中間部分８０の垂下部分から結露水等の水が脱落したときであっても、その結露水等の水を案内部１９は受けて便器１００の上面開口１０２に案内させることができる。案内部１９は、ハーネス電線８の長さ方向の中間部分８０の最下部８０ｄの真下に位置していることが好ましい。なお、案内部１９はベースプレート１８と一体に成形されていても良いし、別体の部品をベースプレート１８に組み付けて形成しても良い。
【００４３】
（実施形態４）
図７は実施形態４を示す。本実施形態は実施形態１と基本的には同様の構成および同様の作用効果を奏する。下向きリブ９の下端面９０は、主基板５および副基板６の高さ位置よりも重力方向の下方に突出している。更に、下向きリブ９は溝９２をもつ。溝９２は、下向きリブ９の厚み方向に貫通すると共に下端面９０に開口する。溝９２にハーネス電線８が挿通されてハーネス電線８の動きが規制されている。この場合、ハーネス電線５の姿勢を規制させ易く、ハーネス電線８が下端面９０の延設方向（矢印Ｌ１方向）に沿って飛散することが抑制される。なお、溝９２の天井面９２ｕはハーネス電線８に非接触であっても良いし、接触していても良い。
【００４４】
図７に示すように、下向きリブ９は、ハーネス電線８の長さ方向の中間部分８０を溝９２に挿入させると共に、主基板５および副基板６の双方の高さ位置よりも、常に確実に、重力方向の下方に垂下させるようにハーネス電線８の姿勢を規制する。このため、局部洗浄装置の組付時またはメンテナンス時において、ハーネス電線８の組付長さや組付形態や位置形態が変化するときであっても、重力方向の下向きに突出する下向きリブ９により、ハーネス電線８の長さ方向の中間部分８０を、常時、主基板５および副基板６の高さ位置よりも、重力方向の下方に確実に垂下させることができる。
【００４５】
更に、図７に示すように、下向きリブ９は、袖ハウジング１２の長さ方向（矢印Ｌ１方向）に沿って連続的に延設されている。下向きリブ９は、溝９２によりハーネス電線８の長さ方向の中間部分８０を下方に垂下させるように支持しつつも、主ハウジング１１の内部と袖ハウジング１２の内部との連通性を低下させる邪魔板的な機能を果たす。このため、主ハウジング１１の内部の湿気が袖ハウジング１２の内部に送られることが低下されている。
【００４６】
図７に示すように、副基板６に形成されているハーネス姿勢規制要素７Ｂは、ハーネス電線８を副基板６の厚み方向（上下方向）に沿って挿通させるハーネス挿通開口７０と、ハーネス挿通開口７０の一部を形成するように１個（単数）の拘束アーム部７１とを備えている。単数の拘束アーム部７１Ｂの先端部７１ｃには、案内開口７４が形成されている。案内開口７４はハーネス挿通開口７０に連通する。拘束アーム部７１Ｂは、副基板６の長手方向（矢印Ｌ１方向）の両端部のうち、主ハウジング１１に近い側の端部に形成されており、副基板６の構成材料と同じ材料で一体的に形成されている。
【００４７】
（実施形態５）
図８は実施形態５を示す。本実施形態は実施形態１と基本的には同様の構成および同様の作用効果を奏する。但し、下向きリブ９は形成されていない。
【００４８】
（その他）
上記した実施形態１では、ハウジング１は主ハウジング１１と袖ハウジング１２とで形成されているが、袖ハウジング１２が形成されていない場合であっても良い。要するに、副基板６は主基板５よりも洗浄ノズルから離れた位置に設けられていれば良い。上記した実施形態１では、下向きリブ９が形成されているものの、場合によっては、ハーネス電線８の長さ方向の中間部分８０を主基板５および副基板６の高さ位置よりも下方に垂下させ得る限り、下向きリブを廃止しても良い。
【００４９】
上記した実施形態１では、副基板６は、ハーネス電線８の姿勢を規制するためのハーネス姿勢規制要素７を備えているが、これに限らず、主基板５の高さ位置が副基板６の高さ位置よりも低い場合には、主基板５は、ハーネス電線８の姿勢を規制するためのハーネス姿勢規制要素７を備えていても良い。主基板５に形成されるハーネス姿勢規制要素は、ハーネス電線８を主基板５の厚み方向に沿って挿通させると共に、ハーネス電線８の長さ方向の中間部分８０を主基板５の高さ位置および副基板６の高さ位置よりも重力方向の下方に垂下させるように、ハーネス電線８の姿勢を規制する。副基板６および主基板５はそれぞれハーネス姿勢規制要素７を備えていても良い。本発明は上記した各実施形態に限定されるものではなく、要旨を逸脱しない範囲内において適宜変更して実施できるものである。
【産業上の利用可能性】
【００５０】
本発明は生体の局部を洗浄する局部洗浄装置に利用することができる。
【図面の簡単な説明】
【００５１】
【図１】便器に局部洗浄装置を取り付けた状態を模式的に示す斜視図である。
【図２】ハウジング内に設けられている主基板および副基板付近の状態を模式的に示す斜視図である。
【図３】袖ハウジング内に設けられている副基板、下向きリブおよびハーネス電線付近の状態を模式的に示す断面図である。
【図４】袖ハウジング内に設けられている下向きリブ付近を下方から視認している状態を模式的に示す斜視図である。
【図５】実施形態２に係り、袖ハウジング内に設けられている副基板、下向きリブおよびハーネス電線付近の状態を模式的に示す断面図である。
【図６】実施形態３に係り、袖ハウジング内に設けられている副基板、下向きリブおよびハーネス電線付近の状態を模式的に示す断面図である。
【図７】実施形態４に係り、ハウジング内に設けられている主基板および副基板付近の状態を模式的に示す斜視図である。
【図８】実施形態５に係り、袖ハウジング内に設けられている副基板、下向きリブおよびハーネス電線付近の状態を模式的に示す断面図である。
【図９】従来技術に係り、ハウジング内に設けられている副基板およびハーネス電線付近の状態を模式的に示す断面図である。
【符号の説明】
【００５２】
１はハウジング、１１は主ハウジング、１２は袖ハウジング、１９は案内部、２は温水タンク、３は洗浄ノズル、４０は便座、４２は便蓋、５は主基板、５０はコネクタ、６は副基板、６０はコネクタ、６５〜６７はスイッチ、６８はＬＥＤ、７はハーネス姿勢規制要素、７０はハーネス挿通開口、７１は拘束アーム部、７４は案内開口、８はハーネス電線、８０は中間部分、９は下向きリブ（下向き突部）、９０は下端面、１００は便器、１０２は上面開口１０２を示す。
【図１】
2010106531.tif 000003
【図２】
2010106531.tif 000004
【図３】
2010106531.tif 000005
【図４】
2010106531.tif 000006
【図５】
2010106531.tif 000007
【図６】
2010106531.tif 000008
【図７】
2010106531.tif 000009
【図８】
2010106531.tif 000010
【図９】
2010106531.tif 000011